(57)【要約】【課題】顧客にストレスを感じさせずに簡易且つ正確に身体計測し、顧客の好みや体型に合う衣服等を、在庫をかかえることなく低コストで提供する。【解決手段】身長とバストの複数の組合せについて、ウエストやヒップを含んだ標準サイズパターン情報を対応づけて情報記憶手段に記憶する。三次元身体計測装置による採寸情報を受信して、身長とバストに基づいて前記情報記憶手段を検索して、それに対応する標準サイズパターンを特定する。身長とバスト以外の情報に基づいて、その特定された標準サイズパターン情報を修正して顧客サイズパターン情報とする。シルエット、ディテール、仕立て等に関する選択情報と、顧客サイズパターン情報に基づいて、その顧客の衣服を縫製するのに必要な情報を縫製工場の端末へ出力する。【選択図】      図１
2004318336.tif 000002
【特許請求の範囲】
【請求項１】
大きさの異なる商品製造用の標準サイズパターンを予め複数用意しておき、顧客の身体形状に基づいて、その顧客の身体形状に近い標準サイズパターンを特定し、その標準サイズパターンを修正して、その顧客用の商品を製造するのを支援するパターンオーダーシステムであって、
標準サイズパターンの寸法項目中、所定の寸法項目の組合せ複数について、その他の項目も含んだ標準サイズパターン情報を対応づけて記憶する標準サイズパターン情報記憶手段と、
デザインや素材等に関する選択情報と、三次元身体計測装置による採寸情報の入力を受ける手段と、
入力された採寸情報の内、前記所定の項目の寸法に基づいて標準サイズパターン情報記憶手段を検索して、それに対応する標準サイズパターンを特定し、入力された採寸情報の内、前記その他の項目の寸法情報に基づいて、前記特定された標準サイズパターン情報を修正して顧客サイズパターン情報とする顧客サイズパターン情報決定手段と、
前記選択情報と前記顧客サイズパターン情報に基づいて、その顧客の商品を製造するのに必要な情報を出力する手段と
を備えることを特徴とするパターンオーダーシステム。
【請求項２】
身長とバストの複数の組合せについて、ウエストやヒップを含んだ標準サイズパターン情報を対応づけて記憶する標準サイズパターン情報記憶手段と、
シルエット、ディテール、仕立て等に関する選択情報と、三次元身体計測装置による採寸情報の入力を受ける手段と、
入力された採寸情報の内、身長とバストに基づいて標準サイズパターン情報記憶手段を検索して、それに対応する標準サイズパターンを特定し、入力された採寸情報の内、身長とバスト以外の情報に基づいて、前記特定された標準サイズパターン情報を修正して顧客サイズパターン情報とする顧客サイズパターン情報決定手段と、
前記選択情報と前記顧客サイズパターン情報に基づいて、その顧客の衣服を縫製するのに必要な情報を出力する手段と
を備えることを特徴とするパターンオーダーシステム。
【請求項３】
前記各手段はサーバに備えられており、
このサーバは、小売店の端末と、縫製工場の端末に接続されており、
小売店に備えられた三次元身体計測装置にて計測された顧客の採寸情報を受信して、その受信した採寸情報に基づいて顧客サイズパターン情報決定手段により、標準サイズパターンの特定とその修正が行われて顧客サイズパターン情報を作成し、
小売店端末からの要求に応じてシルエット、ディテール、仕立て等に関する情報を小売店端末に送信する一方、それら情報を閲覧した小売店端末からその前記選択情報を受信し、
この選択情報と前記顧客サイズパターン情報を、縫製工場の端末に送信する
ことを特徴とする請求項２に記載のパターンオーダーシステム。
【請求項４】
さらに顧客の端末にも接続されており、
前記受信した採寸情報を、顧客ごとに固有の顧客識別情報と対応づけて記憶する採寸情報記憶手段をさらに備え、
顧客端末から受信した顧客識別情報に基づいて、採寸情報記憶手段からその顧客の採寸情報を取得する
ことを特徴とする請求項３に記載のパターンオーダーシステム。
【発明の詳細な説明】
【０００１】
【発明の属する技術分野】
本発明は、顧客が衣服などを購入する際に、既製品ではないがオーダーメイドまでもいかないパターンオーダーを支援するためのパターンオーダーシステムに関するものである。
【０００２】
【発明の背景】
従来、既製服の他、オーダーメイドによる製作も知られている。オーダーメイドによる場合、顧客の身体形状をメジャーにより計測し、その数値を基に加工製造されていた。しかしながら、身体計測が人手を介して実施されるため、計測のための人員を要し、また計測箇所が安定せず、計測値に大きな誤差が生じるおそれがあった。さらに、顧客が店員に接触されるため、顧客の心因的ストレスが発生するという問題もあった。
【０００３】
一方、既製服の場合、オーダーメイドに比較し安価に供給可能であるが、販売する流通業者の売場等はスペース的に問題がある上、在庫管理のため費用の高騰化を招いてしまうこともあった。また、一デザインの複数種類のサイズで製造された物を顧客が選択するもので、顧客の好み、体型に合う既製服を全て取り揃えておくことは不可能であった。
【０００４】
ところで、従来、衣服の販売は、大別して店頭での直接販売、カタログ・雑誌・インターネット等のメディアによる通信販売が挙げられるが、いずれにしても店頭在庫を含めて製品在庫が発生し、或いはオーダーメイドになるものであった。
【０００５】
本発明は、上記事情に鑑みてなされたものであり、その主たる目的は、顧客にストレスを感じさせずに簡易且つ正確に身体計測し、顧客の好みや体型に合う衣服を、在庫をかかえることなく低コストで提供することにある。具体的には、顧客の望むシルエット、ディテール（デザイン）、素材、副資材、仕様（仕立て）、体型に合ったサイズの設計図を検索選定し、さらに体型に合わせるべく修正された設計図を利用し、選択された糸、素材、付属品、仕立てを使用し、顧客各々にカスタマイズされた製品を製造することにより、小売店、販売店が製品在庫を持つ必要がない販売及び製造方法を提供することにある。
【０００６】
【課題を解決するための手段】
上記目的を達成するために、本発明は、大きさの異なる商品製造用の標準サイズパターンを予め複数用意しておき、顧客の身体形状に基づいて、その顧客の身体形状に近い標準サイズパターンを特定し、その標準サイズパターンを修正して、その顧客用の商品を製造するのを支援するパターンオーダーシステムであり、下記（Ａ）から（Ｄ）の構成要件を備える。
（Ａ）標準サイズパターンの寸法項目中、所定の寸法項目の組合せ複数について、その他の項目も含んだ標準サイズパターン情報を対応づけて記憶する標準サイズパターン情報記憶手段。
（Ｂ）デザインや素材等に関する選択情報と、三次元身体計測装置による採寸情報の入力を受ける手段。
（Ｃ）入力された採寸情報の内、前記所定の項目の寸法に基づいて標準サイズパターン情報記憶手段を検索して、それに対応する標準サイズパターンを特定し、入力された採寸情報の内、前記その他の項目の寸法情報に基づいて、前記特定された標準サイズパターン情報を修正して顧客サイズパターン情報とする顧客サイズパターン情報決定手段。
（Ｄ）前記選択情報と前記顧客サイズパターン情報に基づいて、その顧客の商品を製造するのに必要な情報を出力する手段。
【０００７】
より具体的には、本発明は、下記構成要件（Ａ）から（Ｄ）を備えることを特徴とするパターンオーダーシステムである。
（Ａ）身長とバストの複数の組合せについて、ウエストやヒップを含んだ標準サイズパターン情報を対応づけて記憶する標準サイズパターン情報記憶手段。
（Ｂ）シルエット、ディテール、仕立て等に関する選択情報と、三次元身体計測装置による採寸情報の入力を受ける手段。
（Ｃ）入力された採寸情報の内、身長とバストに基づいて標準サイズパターン情報記憶手段を検索して、それに対応する標準サイズパターンを特定し、入力された採寸情報の内、身長とバスト以外の情報に基づいて、前記特定された標準サイズパターン情報を修正して顧客サイズパターン情報とする顧客サイズパターン情報決定手段。
（Ｄ）前記選択情報と前記顧客サイズパターン情報に基づいて、その顧客の衣服を縫製するのに必要な情報を出力する手段。
【０００８】
【発明の実施の形態】
以下、本発明はパターンオーダーシステムについて、さらに詳細に説明する。
まず、このシステムによるパターンオーダー方法について、概略を説明する。なお、下記説明においては、小売店や顧客などは、それぞれ単数として説明するが、それぞれが複数であってもよい。また、販売元、小売店、工場については、主体が互いに異なってもよいし、共通の主体であってもよい。つまり、例えば販売元が工場を備えていてもよい。
【０００９】
本発明のパターンオーダーシステムによる販売製造方法は、典型的には婦人服などの衣料品に適用される。顧客は、店舗へ出向き、本サービスの説明を受けた後、ファンデーション（下着）姿で採寸を受ける。従来のように店員がメジャーで測るのではなく、三次元身体計測装置によって非接触で採寸を受けることができる。よって、試着感覚で負担なく、採寸を受けることができる。
【００１０】
採寸された情報に基づいて、その顧客に最も近いと思われる標準サイズパターンが特定される。この際、大きさの異なる商品を製造するために、各部寸法が異なる標準サイズパターン（各部寸法の組合せ）が予め複数用意されているので、顧客の身長とバストの数値から、その顧客に最適の標準サイズパターンが特定される。そして、本発明では、単に標準サイズパターンを特定するだけではなく、その標準サイズパターンの各部寸法を修正して、その顧客に最適の顧客サイズパターンとする。その修正には、ウエストやバストなど、前記採寸された各部の寸法が用いられる。
【００１１】
このようにして、顧客は、自己に最適のサイズを得ることができ、さらに、シルエット、ディテール、素材、仕立てなどを選ぶことができる。その際、顧客は、小売店に設置された端末画面上で、仮想試着できるのが望ましい。このようにして、顧客が望む仕様で、顧客の体型に合った洋服が決定される。そして、その設計図が出力され、縫製され、商品の受け渡しがなされる。また、顧客の採寸情報を記録しておけば、次回以降の購入に役立てることができる。
【００１２】
つぎに、上記一連の運営を支援するためのシステムについて説明する。
図１は、本発明のパターンオーダーシステムの一実施例を示すシステム構成図である。本実施例のパターンオーダーシステムは、たとえば衣服の製造販売を支援するものである。
【００１３】
本システムの主要部をなすサーバ１は、販売元により運営されてもよいし、そこから委託されたシステム管理会社が運営してもよい。サーバ１には、小売店、工場、及び顧客の端末３〜５が、双方向通信可能に通信ネットワーク２を介して接続可能とされている。通信ネットワーク２としては、公衆電話回線又はインターネットなど、公知のものが一以上採用される。図示例では、サーバ１、小売店端末３、工場端末４、及び顧客端末５は、インターネット２を介して接続されている。なお、サーバ１と顧客端末５はインターネットで接続する一方、サーバ１と工場端末４はＬＡＮで接続するなど、接続媒体の種別は適宜に変更される。
【００１４】
小売店、工場、顧客の各端末３〜５は、図１ではそれぞれ１台だけ示しているが、実際には複数台ずつ存在してもよい。また、サーバ１と、小売店３及び／又は工場４の端末を共通化してもよい。
【００１５】
各端末３〜５は、小売店、工場、又は顧客により操作される入出力装置であり、携帯電話などでもよいが、本実施例ではパーソナルコンピュータとされている。すなわち、例えば中央処理装置や記憶装置を備えるパソコン本体、キーボードやマウスなどの入力装置、ディスプレイなどの出力装置の他、サーバ１との通信を可能にするためにモデムないしターミナルアダプターなどを備えている。また、ＷＷＷブラウザソフトやメーラーがインストールされている。さらに、小売店端末３には、三次元身体計測装置３１が接続され、工場端末４には、ＣＡＭ４１が接続されている。
【００１６】
サーバ１は、中央処理装置及び記憶装置を少なくとも備えている。記憶装置には、データベース１１〜１４が構築されている。このデータベース１１〜１４に対して、各端末３〜５から情報の登録や閲覧などが可能である。なお、サーバ１は、一台のコンピュータで構成されるとは限らない。例えば、ウェブサーバとデータベースサーバなど、複数のサーバ群により構成される場合もある。
【００１７】
データベース１１〜１４にて管理される情報には、顧客管理情報、標準サイズパターン情報、仕様情報、在庫情報が含まれる。
顧客管理情報とは、各顧客に関する情報である。例えば、顧客ごとに固有の顧客ＩＤ（顧客識別情報）と関連付けて、氏名、生年月日、性別、住所、電話番号、Ｅメールアドレスなどが登録される。また、その顧客に関する連絡先情報だけでなく、後述の採寸情報や、購入履歴情報（購入商品の仕様書、日付）を含んでもよい。
【００１８】
標準サイズパターン情報とは、着丈、身幅、ウエストなど、衣服作成に役立つ各部寸法の組合せからなり、大きさの異なる複数パターンが用意されている。例えば、採寸情報の項目の各部寸法からなる。本実施例では、身長１５０ｃｍ、１５８ｃｍ、１６６ｃｍの三体型で、各体型について、バストを７７ｃｍ〜１０９ｃｍ間で１９サイズ展開することで、計５７サイズを用意した。
【００１９】
採寸情報とは、三次元身体計測装置にて計測された顧客の各部身体寸法に関する情報である。例えば、図２に示す項目中から適宜に選択される。この図において、右半分の項目は、地上からの高さ寸法である。本実施例の三次元身体計測装置では、本図に示される各項目の寸法が計測可能であるが、採寸情報としては、これらの内から所望の寸法が採用される。本実施例では、ブラウスなどのトップ商品については、図中の「トップ」の欄に「×」印が付いている項目が含まれ、パンツなどのボトム商品については、図中の「ボトム」の欄に「○」印が付いている項目が含まれる。
【００２０】
仕様情報とは、シルエット、ディテール（デザイン）、素材、副資材、仕様（仕立て）に関する情報である。例えば、図３に示すように、仕立ては、脇仕様としてＡ、Ｂ、Ｃから選択可能としたり、裾仕様は、１、２から選択可能としたり、脇ポケットは、ａ、ｂ、ｃから選択可能としたり、後ポケットは、１、２、３から選択可能としたりすることが考えられる。また、附属選択として、ボタンの色、大きさ、形状などを変えたものから選択させたり、刺繍の書体を変えたりすることが考えられる。さらに、ステッチ糸の太さや色彩などを変えたり、素材の色、混率、組織、家庭洗濯の可否、風合いの硬柔、肉感の薄厚などを選択したり、デザインとしてカラー（襟）の形状を変えたりすることが考えられる。
【００２１】
そして、在庫情報とは、前記生地や附属品などの在庫データである。なお、顧客管理情報は、顧客ＩＤと関連付けられて、顧客管理情報データベースに登録される。また、標準サイズパターン情報は、標準サイズパターン情報データベースに登録され、仕様情報は、仕様情報データベースに登録され、在庫情報は、在庫情報データベースへ登録されている。なお、標準サイズパターン情報データベースは、一つのレコードごとに、一つの標準サイズパターンを対応させて、各レコードに身長、バスト、ウエスト、ヒップなどの情報を登録している。
【００２２】
さらに、サーバは、顧客端末からのアクセス認証を行うために、顧客ごとに顧客ＩＤとパスワードを対応させた認証テーブルを備えるが、その認証情報も顧客管理情報データベースにて管理してもよい。
【００２３】
図４は、本実施例のパターンオーダーシステムの実施手順を示すフローチャートである。図１及び図４に示すように、小売店の三次元身体計測装置３１にて顧客の身体形状がまず計測される。そして、小売店の端末３は、ＷＷＷブラウザ或いはメーラーを起動させて、本システムにアクセスする。つまり、インターネット２を介してサーバ１に接続し、採寸情報をサーバ１へ送信する。
【００２４】
採寸情報を受信したサーバ１は、その採寸情報の身長とバストの寸法から、標準サイズパターン情報データベース１２を検索して、その顧客に適合した標準サイズパターンを検索、特定する。次に、小売店端末３上で着せ替えが可能に、顧客のダミーが作成される。つまり、端末３からシルエット（スタイル）、ディテール（デザイン）、糸、生地、附属、仕立てなどの選択が可能とされ、その選択情報を受信したサーバ１は、その選択情報に基づいて仕様情報データベース１３から該当の情報を取得して、顧客ダミー画像にディテールデータを貼り付けたり、生地柄をマッピングしたりして、端末３に対し仮想試着を実現する。これには、サーバ１中のＣＡＤソフトが利用される。
【００２５】
これらシルエット、ディテール、糸、生地、附属、仕立てなどが決定し、その決定を端末３から受信したサーバ１は、次に、その標準サイズパターンを修正・最適化して、顧客サイズパターン情報を作成する。これには、身長とバスト以外の採寸情報も利用される。例えば、トップ商品製作のためには、図２において×印が付いた採寸情報が利用され、ボトム商品製作のためには、図２において○印が付いた採寸情報が利用される。具体的には、採寸情報を基に、股下上り、バスト、ウエスト、ヒップ上がり寸法などを入力することで、サーバ内のＣＡＤソフトのマクロ機能を用いて、標準サイズパターン情報が自動修正される。
【００２６】
このように、本実施例では、三次元形状データに合わせ、体型ごとにグレーディングされたシルエットパターンのサイズ展開の中から、適合サイズを検索後、決定され、そのグレーディングサイズをＣＡＤソフトのマクロ機能を利用して、顧客の三次元形状データに合わせ最適化する。
【００２７】
このようにして、顧客サイズパターン情報と、詳細な仕様情報が特定されると、最適化された顧客パターンの加工（縫代付け・裏地・芯地・パターン作成）がなされ、顧客パターン、オーダーシート、縫製仕様書などが、サーバ１から工場端末４へ出力される。これら情報を受信した工場端末４は、その情報に基づいて、マーキング、生地裁断、縫製、仕上げ、編立て、製品検査がなされた後、該当小売店又は顧客住所へ出荷される。顧客の宛先は、小売店端末３等からサーバ１の顧客管理情報データベース１１へ登録された顧客情報が利用される。なお、工場では、１枚裁断ＣＡＭソフトに、入力（サーバより受信）されたデータに基づき原料を裁断後、縫製し商品を製造することができる。
【００２８】
採寸情報や顧客パターン、オーダーシートなどは、サーバ１の顧客管理情報データベース１１へ登録することができる。これにより、顧客は、次回からは自宅の端末（顧客端末）５を用いて、サーバ１に接続して発注することができる。そのために、顧客には、顧客ＩＤが記載されたＩＤカードが発行される。よって、その顧客ＩＤとパスワードをサーバ接続後に表示される所定の認証画面で入力して認証を受けることで、上述した小売店端末３と同様の操作が可能とされる。そして、その入力された顧客ＩＤに基づいて顧客管理情報データベース１１が検索されて、その顧客の採寸情報などを取得することが可能となり、それを利用して新たな衣類の発注が可能とされている。
【００２９】
なお、本発明のパターンオーダーシステムは、上記実施例の構成に限らず、適宜変更可能である。特に、サーバにて管理する顧客管理情報、標準サイズパターン情報、仕様情報、在庫情報の内容は、適宜に変更されることは言うまでもない。
【００３０】
また、上記実施例では、図４に示すように、ディテールや生地などを決定後に、顧客サイズパターンを作成したが、その逆の順序としてもよい。さらに、上記実施例では、主として洋服、特に婦人服を例に述べたが、その他の衣類にも適用可能である。さらに、衣類だけでなく、靴やメガネなど、身に付ける商品に適用可能である。
【００３１】
【発明の効果】
以上詳述したように、本発明のパターンオーダーシステムによれば、顧客にストレスを感じさせずに簡易且つ正確に身体計測し、顧客の好みや体型に合う衣服などを、在庫をかかえることなく低コストで提供することができる。
【図面の簡単な説明】
【図１】本発明のパターンオーダーシステムの一実施例を示すシステム構成図である。
【図２】採寸情報の一例を示す図である。
【図３】仕様情報の一例を示す図である。
【図４】図１のパターンオーダーシステムの実施手順の一例を示すフローチャートである。
【符号の説明】
１  サーバ
２  通信ネットワーク（インターネット）
３  小売店端末
４  工場端末
５  顧客端末
３１  三次元身体計測装置
【図１】
2004318336.tif 000003
【図２】
2004318336.tif 000004
【図３】
2004318336.tif 000005
【図４】
2004318336.tif 000006